(57)【要約】【課題】高精度の研磨作業を安定して効率良く行うことのできる研磨ブラシ、円盤状基板の研磨装置および円盤状基板の製造方法を提供する。【解決手段】研磨ブラシ１５０は、軸芯１５１の周囲にブラシ列１５２を螺旋状に巻き付け固定して形成される。ブラシ列１５２は、ブラシ毛材１５４を、芯金１５５を巻くようにその中央部分で二つ折りにし、その芯金１５５を巻回する屈曲部分を外側からブラシ基材としての基部金具１５６でカシメ、芯金１５５に一体に固定して成る。ブラシ毛材１５４の両側の毛先は、先端が互いに当接して寄りかかり、両側の多数のブラシ毛材１５４の毛先が芯金１５５の周方向にまとまっている。【選択図】図８
2008142792.tif 000002
【特許請求の範囲】
【請求項１】
中心部に開孔を有する円盤状基板の研磨に用いられる研磨ブラシであって、
軸芯と、
前記軸芯に巻き付けられるブラシ基材と、
前記ブラシ基材に束として曲げて取り付けられるブラシ毛材とを備え、
前記ブラシ毛材は、束の一端部側と他端部側とが合わさるように曲げられて前記ブラシ基材に取り付けられることを特徴とする研磨ブラシ。
【請求項２】
前記ブラシ毛材が取り付けられた前記ブラシ基材は、前記軸芯に対して螺旋状に巻き付けられ、当該ブラシ毛材の前記一端部側および前記他端部側が当該軸芯から放射状に伸びることを特徴とする請求項１に記載の研磨ブラシ。
【請求項３】
前記ブラシ毛材の曲げの内側に当該ブラシ毛材の曲げを規制する芯材を更に備え、
前記ブラシ基材は前記芯材と前記ブラシ毛材とを巻き込んで当該ブラシ毛材を取り付けることを特徴とする請求項１に記載の研磨ブラシ。
【請求項４】
前記ブラシ毛材の前記束の一端部側と他端部側とは、前記芯材によって規制される位置から当該芯材の中心部に向けて集中する状態で曲げられることを特徴とする請求項３に記載の研磨ブラシ。
【請求項５】
中心部に開孔を有する円盤状基板の研磨に用いられる研磨ブラシであって、
軸芯と、
前記軸芯に巻き付けられるブラシ基材と、
前記ブラシ基材に束として曲げて取り付けられるブラシ毛材と、
前記ブラシ毛材の束の曲げの内側に設けられ当該ブラシ毛材の曲げを規制する芯材と、を備え、
前記ブラシ毛材は、外周から前記軸芯の中心に向けた拡大部分の観察にて前記芯材が当該ブラシ毛材により遮蔽されて見えない程度に、束の一端部側と他端部側とが集中することを特徴とする研磨ブラシ。
【請求項６】
中心に開孔を有する円盤状基板を複数枚積層して保持し、保持された当該円盤状基板の当該開孔に挿入される研磨ブラシを回転させて当該円盤状基板を研磨する研磨装置であって、
前記研磨ブラシは、
軸芯と、
前記軸芯に螺旋状に巻き付けられるブラシ基材と、
前記ブラシ基材に束として曲げて取り付けられるブラシ毛材とを備え、
前記ブラシ毛材は、束の一端部側と他端部側とが合わさるように曲げられて前記ブラシ基材に取り付けられ、当該ブラシ毛材の当該一端部側および当該他端部側が前記軸芯から放射状に伸びることを特徴とする円盤状基板の研磨装置。
【請求項７】
前記研磨ブラシは、前記ブラシ毛材の曲げの内側に当該ブラシ毛材の曲げを規制する芯材を備え、前記ブラシ基材は当該芯材と当該ブラシ毛材とを巻き込んで当該ブラシ毛材を取り付けることを特徴とする請求項６に記載の円盤状基板の研磨装置。
【請求項８】
中心に開孔を有する円盤状基板の当該開孔を研磨して円盤状基板を製造する円盤状基板の製造方法であって、
軸芯と、当該軸芯に巻き付けられるブラシ基材と、当該ブラシ基材に束として曲げて取り付けられるブラシ毛材と、当該ブラシ毛材の束の曲げの内側に設けられ当該ブラシ毛材の曲げを規制する芯材とを備えた研磨ブラシについて、外周から当該軸芯の中心に向けた拡大部分の観察にて当該芯材が当該ブラシ毛材により遮蔽されて見えない程度に束の一端部側と他端部側とが集中することを検査基準とする検査工程と、
前記検査工程により前記検査基準を満たした前記研磨ブラシを、前記円盤状基板が複数枚積層された積層ワークの中心孔に挿入するブラシ挿入工程と、
前記中心孔に挿入された前記研磨ブラシを回転させ、研磨液を供給しながら前記円盤状基板の前記開孔を研磨する研磨工程と
を含む円盤状基板の製造方法。
【発明の詳細な説明】
【技術分野】
【０００１】
本発明は、例えば磁気記録媒体用ガラス基板などの円盤状基板の内周を研磨する研磨ブラシ等に関する。
【背景技術】
【０００２】
記録メディアとしての需要の高まりを受け、近年、円盤状基板であるディスク基板の製造が活発化している。このディスク基板の一つである磁気ディスク基板としては、アルミ基板とガラス基板とが広く用いられている。アルミ基板は加工性も高く安価である点に特長があり、一方のガラス基板は強度、表面の平滑性、平坦性に優れている点に特長がある。特に最近ではディスク基板の小型化と高密度化の要求が著しく高くなり、基板の表面の粗さが小さく高密度化を図ることが可能なガラス基板の注目度が高まっている。
【０００３】
このような磁気ディスク基板の製造装置に関する公報記載の従来技術として、中心孔を有するガラスディスクの内周面を研磨する技術が存在する（例えば、特許文献１、２参照。）。
この特許文献１では、ガラスディスクを積層した積層ガラスディスクを中心軸回りに回転可能にセッティングし、軸回りに無数のブラシ毛を持つ軸付研磨ブラシを積層ガラスディスクの中心孔に挿入する。そして、この軸付研磨ブラシを、往復移動させつつ積層ガラスディスクの回転方向とは逆方向に回転させて、積層ガラスディスクの内周面を研磨している。
また、特許文献２では、浮遊砥粒を含有した研磨液にガラス基板を浸漬することで、液切れによる研磨不足や研磨不良を来すことのない研磨方法が提案されている。また、この特許文献２では、回転軸上に螺旋状に植毛されたブラシ毛を回転させて研磨することで、被研磨面に常に新鮮な研磨液を循環供給し、研磨効率、再現性および精度を高める技術が開示されている。
【０００４】
図１３に、従来の円盤状基板の内周面を研磨する方法の一例を示す。
図１３に示す研磨方法では、円盤状基板１０を中心軸方向に多数積層して構成された積層ワーク５０１が、図示しない回転テーブルに軸方向を縦にして装着されている。積層ワーク５０１の中心孔５０１Ａには、図示しない回転駆動軸に上端で連結された軸状の研磨ブラシ５０２が挿入配置されている。また、積層ワーク５０１の上側には、砥粒を含む研磨液を供給するノズル５０３が配置されている。
そして、ノズル５０３から積層ワーク５０１の上面に研磨液を供給しつつ、積層ワーク５０１を回転させ、また、研磨ブラシ５０２を回転させつつその軸方向に往復移動させて、積層ワーク５０１の中心孔５０１Ａの内周面（すなわち円盤状基板１０の内周面）を研磨する。
研磨ブラシ５０２は、軸芯の周囲にブラシ列が所定の間隔（ブラシ隙間）を有して所定のピッチで螺旋状に設けられている。これにより、ブラシ隙間もブラシ列と同じピッチで螺旋状に形成されている。
【０００５】
この図１３に示すような研磨方法において、積層ワーク５０１の上面に供給された研磨液は、研磨作業中、図１３中に矢印で示すように流れて研磨作業域（研磨ブラシ５０２と積層ワーク５０１の内周面との間）に供給される。すなわち、研磨液は、積層ワーク５０１の中心孔５０１Ａに流入し、研磨ブラシ５０２のブラシ隙間を通って研磨作業面に達する。そして、この研磨液は、研磨ブラシ５０２の回転によるブラシ隙間の螺旋の作用によって下部に向かって移動して行く。そして、最終的には積層ワーク５０１の中心孔５０１Ａの下端から下側に排出される。
【０００６】
【特許文献１】特開平１１−３３８８６号公報
【特許文献２】特開平１１−２２１７４２号公報
【０００７】
ここで、上記のごとき従来の内周面の研磨方法では、研磨ブラシの全体としての剛性（ブラシ硬度）によって、研磨効率が異なる。
すなわち、ブラシ硬度の高い研磨ブラシを用いることで、迅速に研磨することができる。その結果、作業効率を向上させることができ、生産効率を向上させてコストダウンに寄与できる。他方、研磨ブラシのブラシ硬度があまり高いと、研磨にバラつきを生じ仕上げ精度の低下を招く。
従って、高い精度の研磨作業を安定して効率良く行うためには、バラつきのない適度なブラシ硬度の研磨ブラシを用いる必要がある。
ところが、研磨ブラシのブラシ硬度は、ブラシ毛材の材質、線径、長さ等の各要素によって変化するのみならず、ブラシ毛材を束ねる構造によっても変化する。このため、例えばブラシ毛材の材質、線径、長さを管理したブラシを用いても、安定した研磨ができない場合が生じていた。
【発明の開示】
【発明が解決しようとする課題】
【０００８】
本発明は、以上のような技術的課題を解決するためになされたものであって、その目的とするところは、高い精度の研磨作業を安定して効率良く行うことのできる研磨ブラシ、円盤状基板の研磨装置および円盤状基板の製造方法を提供することにある。
【課題を解決するための手段】
【０００９】
かかる目的を達成するために、本発明は、中心部に開孔を有する円盤状基板の研磨に用いられる研磨ブラシであって、軸芯と、軸芯に巻き付けられるブラシ基材と、ブラシ基材に束として曲げて取り付けられるブラシ毛材とを備え、ブラシ毛材は、束の一端部側と他端部側とが合わさるように曲げられてブラシ基材に取り付けられることを特徴とする。
ここで、ブラシ毛材が取り付けられたブラシ基材は、軸芯に対して螺旋状に巻き付けられ、ブラシ毛材の一端部側および他端部側が軸芯から放射状に伸びることを特徴とすることができる。
また、ブラシ毛材の曲げの内側にブラシ毛材の曲げを規制する芯材を更に備え、
ブラシ基材は芯材とブラシ毛材とを巻き込んでブラシ毛材を取り付けることを特徴とすることができる。
また、ブラシ毛材の束の一端部側と他端部側とは、芯材によって規制される位置から芯材の中心部に向けて集中する状態で曲げられることを特徴とすることができる。
【００１０】
他の観点から捉えると、本発明は、中心部に開孔を有する円盤状基板の研磨に用いられる研磨ブラシであって、軸芯と、軸芯に巻き付けられるブラシ基材と、ブラシ基材に束として曲げて取り付けられるブラシ毛材と、ブラシ毛材の束の曲げの内側に設けられブラシ毛材の曲げを規制する芯材と、を備え、ブラシ毛材は、外周から軸芯の中心に向けた拡大部分の観察にて芯材がブラシ毛材により遮蔽されて見えない程度に、束の一端部側と他端部側とが集中することを特徴とする。
【００１１】
一方、本発明は、中心に開孔を有する円盤状基板を複数枚積層して保持し、保持された円盤状基板の開孔に挿入される研磨ブラシを回転させて円盤状基板を研磨する研磨装置であって、研磨ブラシは、軸芯と、軸芯に螺旋状に巻き付けられるブラシ基材と、ブラシ基材に束として曲げて取り付けられるブラシ毛材とを備え、ブラシ毛材は、束の一端部側と他端部側とが合わさるように曲げられてブラシ基材に取り付けられ、ブラシ毛材の一端部側および他端部側が軸芯から放射状に伸びることを特徴とする。
ここで、研磨ブラシは、ブラシ毛材の曲げの内側にブラシ毛材の曲げを規制する芯材を備え、ブラシ基材は芯材とブラシ毛材とを巻き込んでブラシ毛材を取り付けることを特徴とすることができる。
【００１２】
さらに本発明は、中心に開孔を有する円盤状基板の開孔を研磨して円盤状基板を製造する円盤状基板の製造方法であって、軸芯と、軸芯に巻き付けられるブラシ基材と、ブラシ基材に束として曲げて取り付けられるブラシ毛材と、ブラシ毛材の束の曲げの内側に設けられブラシ毛材の曲げを規制する芯材とを備えた研磨ブラシについて、外周から軸芯の中心に向けた拡大部分の観察にて芯材がブラシ毛材により遮蔽されて見えない程度に束の一端部側と他端部側とが集中することを検査基準とする検査工程と、検査工程により検査基準を満たした研磨ブラシを、円盤状基板が複数枚積層された積層ワークの中心孔に挿入するブラシ挿入工程と、中心孔に挿入された研磨ブラシを回転させ、研磨液を供給しながら円盤状基板の開孔を研磨する研磨工程と、を含むことを特徴とする。
【発明の効果】
【００１３】
以上のように構成された本発明の研磨ブラシによれば、これらの構成を採用しない場合に比べて、高精度の研磨作業を安定して効率良く行うことが可能な、バラつきの少ない適度なブラシ硬度の研磨ブラシを得ることができる。
また、本発明の円盤状基板の研磨装置によれば、円盤状基板に対する研磨作業を安定して効率良く行うことができる。
さらに、本発明の円盤状基板の製造方法によれば、円盤状基板に対する研磨作業を安定して効率良く行うことが可能となる。
【発明を実施するための最良の形態】
【００１４】
以下、添付図面を参照して、本発明の実施の形態について詳細に説明する。
はじめに、図１−１および図１−２に基づいて本実施の形態が適用される円盤状基板１０（ディスク基板）の製造工程を説明する。
この製造工程は、まず図１−１（ａ）に示す１次ラップ工程にて、円盤状基板（ワーク）１０の原材料を定盤２１に載置し、円盤状基板１０の平面１１を削る。このとき、円盤状基板１０を載置した定盤２１の表面には、例えばダイヤモンドの砥粒が散りばめられる。次に、図１−１（ｂ）に示す内外周研削工程にて、円盤状基板１０の中心に設けられた開孔（hole）１２を内周砥石２２によって研削し、円盤状基板１０の外周１３を外周砥石２３によって研削する。このとき、内周砥石２２と外周砥石２３で円盤状基板１０の内周面と外周面を挟み込んで同時加工することで、内径と外径の同軸度を確保し易くすることができる。そして、図１−１（ｃ）に示す外周研磨工程では、外周研磨用ブラシ２４を用いて円盤状基板１０の外周１３が研磨される。その後、図１−１（ｄ）に示す２次ラップ工程にて、円盤状基板１０を定盤２１に載置し、円盤状基板１０の平面１１を更に削る。
【００１５】
次いで、図１−２（ｅ）に示す内周研磨工程を行う。内周研磨工程では、円盤状基板１０の中心の開孔１２に研磨ブラシ１５０を挿入し、円盤状基板１０の開孔１２を研磨する。この際、所定の条件を充足した研磨ブラシ１５０を用いる。すなわち、この内周研磨工程における最初の工程として研磨ブラシ１５０の検査工程を有する。この検査工程については、後に詳述する。
内周研磨工程の後、図１−２（ｆ）に示す１次ポリッシュ工程にて、円盤状基板１０を定盤２１に載置し、円盤状基板１０の平面１１を磨く。このときの研磨には、例えば不織布（研磨布）として硬質ポリッシャが用いられる。更に、図１−２（ｇ）に示す２次ポリッシュ工程にて、軟質ポリッシャを用いた平面研磨が行われる。その後、図１−２（ｈ）に示す最終洗浄・検査工程にて洗浄と検査が行われて、円盤状基板（ディスク基板）１０が製造される。
【００１６】
つぎに、上述の内周研磨工程にて用いられる研磨装置について説明する。
図２は研磨装置１００の外観を示す斜視図であり、図３は研磨機構１１０の縦断面（一部）を示した図である。尚、図２は研磨機構１１０の研磨ヘッド１２０が上方に位置する研磨作業前の準備状態を示し、図３は研磨ヘッド１２０が下降した作業中の状態を示している。このために、図２および図３における研磨ヘッド１２０の位置は一致していない。
図２および図３に示す研磨装置１００は、研磨対象部材である円盤状基板１０が複数枚積層されて成る積層ワーク１４０（後に詳述する）が取り付けられ、この積層ワーク１４０に対して研磨作業を行うものである。
研磨装置１００は、ベースフレーム１０１に、左右一対の研磨機構１１０Ｌ，１１０Ｒを並列に備えている。これにより、二組の積層ワーク１４０に対して同時に研磨作業を行うことができるようになっている。尚、左右の研磨機構１１０Ｌ，１１０Ｒは同様な構成となっており、以下、研磨機構１１０として説明する。
【００１７】
ベースフレーム１０１には、浮遊砥粒を含有した研磨液であるスラリを収容するスラリタンク１０２が配設されている。また、図示しないが、スラリタンク１０２に収容されたスラリを循環駆動するポンプや、研磨装置の制御装置等が設けられている。
研磨機構１１０は、ベースフレーム１０１に立設されたコラム１１１に鉛直方向に移動可能に支持された研磨ヘッド１２０と、その下側に配設された回転テーブル１３０とを備えている。
【００１８】
研磨ヘッド１２０は、後述する研磨ブラシ１５０の一端部を把持して、この研磨ブラシ１５０を鉛直に支持するチャック１２１を備えている。このチャック１２１は、図示しないモータ等の駆動手段によって回転駆動されるようになっている。
チャック１２１の周囲には、下側に開放する円筒状のカバー１２２が、チャック１２１を覆い更に所定の高さまで垂下して設けられている。そしてカバー１２２の内側に、チャック１２１に隣接してスラリ供給ノズル１２３が設けられている。このスラリ供給ノズル１２３は、回転テーブル１３０に装着された積層ワーク１４０の上面に向かって開口している。
研磨ヘッド１２０は、コラム１１１に沿って鉛直に所定のストロークで昇降移動可能に設けられており、図示しない昇降駆動手段によって昇降駆動されるようになっている。
【００１９】
回転テーブル１３０は、所定の径からなる円盤状部材で形成され、その上面に積層ワーク１４０を取り付けることができるように構成されている。この回転テーブル１３０は、研磨ヘッド１２０の下側に配設されており、図示しないモータ等の駆動手段によって所定の回転数で回転駆動されるようになっている。その中央には、所定径の開口１３１が形成され、その内部に回転テーブル１３０とは独立して支持軸受け１３２が設けられている。この支持軸受け１３２は、研磨ブラシ１５０の先端を回転可能に支持するものである。
また、この回転テーブル１３０の周囲および下側を覆うように、上方に開口する有底円筒状のスラリ受け１３３が設けられている。更に、スラリ受け１３３の上側に、上下に開口する円筒状のカバー１３４が設けられている。このカバー１３４の正面側には、扉１３５が開閉可能に設けられている。
【００２０】
研磨ヘッド１２０に設けられたスラリ供給ノズル１２３と、回転テーブル１３０に設けられたスラリ受け１３３とは、それぞれベースフレーム１０１に設けられたスラリタンク１０２と図示しない配管によって接続されている。そして、スラリタンク１０２の内部に収容したスラリをスラリ供給ノズル１２３に供給し、スラリ受け１３３が受けたスラリをスラリタンク１０２に回収するようになっている。つまり、スラリはスラリタンク１０２からスラリ供給ノズル１２３へ、スラリ受け１３３からスラリタンク１０２へと循環するようになっている。
【００２１】
このような研磨機構１１０は、図３に示すように、回転テーブル１３０の上面に積層ワーク１４０を支持し、研磨ヘッド１２０のチャック１２１に研磨ブラシ１５０の上端を支持する。この研磨ブラシ１５０は、後に詳述する検査工程で合格したものを用いる。
そして、研磨ヘッド１２０の下降によって研磨ブラシ１５０を積層ワーク１４０の中心孔１４１に挿入し（ブラシ挿入工程）、研磨ブラシ１５０の下端を支持軸受け１３２に支持させた状態とする。この状態で、スラリ供給ノズル１２３からスラリを吐出して積層ワーク１４０の上面に供給し、回転テーブル１３０（積層ワーク１４０）を回転させると共に、研磨ブラシ１５０を回転させつつその軸方向（上下方向）に所定のストロークで往復移動させる。これによって、積層ワーク１４０の中心孔１４１の内周面（円盤状基板１０の内周面）を研磨する（研磨工程）ものである。本実施の形態では、積層ワーク１４０（回転テーブル１３０）の回転方向は上側から見て反時計回り、研磨ブラシ１５０の回転方向はこれとは逆の上側から見て時計回りに設定される。
【００２２】
図４はこの研磨機構１１０が用いる研磨ブラシ１５０を示し、（ａ）はその全体斜視図，（ｂ）は製作過程を示す斜視図である。
研磨ブラシ１５０は、図４（ａ），（ｂ）に示すように、ステンレス合金鋼等によって形成され所定の直径からなる軸芯１５１の周囲に、ブラシ基材としてのブラシ列１５２が所定のピッチで螺旋状に設けられている。ブラシ列１５２の間には所定の間隔（ブラシ隙間１５３）が設定されており、このブラシ隙間１５３もブラシ列１５２と同じく螺旋状に軸方向に連続している。尚、ブラシ列１５２（ブラシ隙間１５３）の螺旋方向は、いわゆる左巻き（反時計回りで遠ざかる方向）となっており、時計回りの回転でブラシ隙間１５３内のスラリを上側から下側に向けて（基端側から先端側に向けて）駆動し得るようになっている。
【００２３】
研磨ブラシ１５０の毛先までの寸法を含む外径は、例えば、円盤状基材１０の開孔１２の内径１２ｍｍに対して直径１３ｍｍとする。
軸芯１５１は、ブラシ領域より両端側にそれぞれ所定量突出しており、一方はチャック１２１による被把持部１５１Ａ、他方は支持軸受け１３２に支持される先細りの被支持部１５１Ｂとなっている。
この研磨ブラシ１５０の詳細な構成とその検査については、後に詳述する。
【００２４】
図５は積層ワーク１４０の全体斜視図、図６は円盤状基板１０の積層過程を示す斜視図である。また、図７は研磨作業状態の断面図である。
図５に示す積層ワーク１４０は、図６に示すようにして円盤状基板１０を多数（例えば１５０枚）積層した状態で、ホルダ２００に支持されている。
ホルダ２００は、上下の支持円盤（上部支持円盤２１０，下部支持円盤２２０）が、周方向に複数本（例えば４本）配置された連結バー２３０によって所定の間隔で連結されて構成されている。そして、この上部支持円盤２１０、下部支持円盤２２０および連結バー２３０によって形成される空間（内部）に、積層された円盤状基板１０が収容され、この積層された円盤状基板１０が、上部支持円盤２１０の上側に締着される固定円盤２４０によって、ホルダ２００に固定される。このホルダ２００は、ステンレス合金鋼等によって形成されている。
【００２５】
上側の上部支持円盤２１０は、所定厚さの円盤状で、その中央に、積層された円盤状基板１０を内部に装着するための開孔２１１が形成されている。
下側の下部支持円盤２２０は、所定厚さの円盤部２２１の下面側に、大径の装着フランジ２２２を備えている。その中央には、スラリの流通および研磨ブラシ１５０を挿通するための開孔２２３が形成されている。円盤部２２１の直径は、上部支持円盤２１０の直径より所定量大きく設定されている。
固定円盤２４０は、上部支持円盤２１０とほぼ同径で所定厚さからなる円盤状部材であり、その中央に、後述する上部押さえ２３３と嵌合する嵌合孔２４１が形成されている。そして、上部支持円盤２１０の上面にて、中心を一致させてボルトによって固定されるようになっている。
【００２６】
このようなホルダ２００には、図６に示すように積層治具としてのセンタリングシャフト２３２を用いて積層された円盤状基板１０が装着される。
すなわち、センタリングシャフト２３２に、下部押さえ２３１を挿入して取り付け、ついで円盤状基板１０を順次嵌合することで、その中心の開孔１２を基準として位置決めされた状態で円盤状基板１０を積層する。そして最後に上部押さえ２３３をセンタリングシャフト２３２に挿入して取り付ける。これにより、センタリングシャフト２３２に嵌合して積層された円盤状基板１０が、下部押さえ２３１と上部押さえ２３３との間に挟まれた状態となる。
【００２７】
下部押さえ２３１は、外径が円盤状基板１０の外径と略等しいかそれより大きい所定厚さの円盤状の部材である。その内径は、円盤状基板１０の内径より大きく設定されている。
上部押さえ２３３は、円盤状基板１０と外径が略等しい本体部２３３Ａの上側に小径部２３３Ｂが形成されて二段の外形に形成されている。その中央には、スラリの流通および研磨ブラシ１５０を挿通するための開孔２３３Ｃが形成されている。
これら上部押さえ２３３および下部押さえ２３１は、例えば、ポリアセタール等の樹脂により形成されている。
センタリングシャフト２３２は、下端に下部支持円盤２２０の開孔２２３（図７参照）に嵌合する大径部２３２Ａと、その上側に下部押さえ２３１の内径に嵌合する中径部（図示せず）を有している。そのさらに上側に、円盤状基板１０が嵌合する位置決め軸部２３２Ｂが立設されているものである。
【００２８】
上記のごとくセンタリングシャフト２３２に嵌合して積層された円盤状基板１０は、ホルダ２００の内部に、図５の上側から上部支持円盤２１０の開孔２１１（図７参照）を介して挿置される。そして、上部支持円盤２１０の上側に締着された固定円盤２４０によって、下部支持円盤２２０に押圧されて、積層された円盤状基板１０が固定される。このとき、上部押さえ２３３の小径部２３３Ｂに固定円盤２４０の嵌合孔２４１が嵌合する。
センタリングシャフト２３２は、積層された円盤状基板１０が固定された後、図５の下側から抜き取られる。
これにより、積層された円盤状基板１０の開孔１２によって中心孔１４１（図５、図７参照）が形成される。この中心孔１４１の上端は、上部に開放する上部押さえ２３３の開孔２３３Ｃに繋がり、中心孔１４１の下端は下部押さえ２３１の内径部（不図示）および下部支持円盤２２０の開孔２２３に繋がっている。
【００２９】
ここで、ホルダ２００内に積層された円盤状基板１０の間には、所定枚数毎にスラリ導入スペーサ１６０が設けられる。これは、前述のセンタリングシャフト２３２に円盤状基板１０を順次嵌合する際に、所定枚数毎にスラリ導入スペーサ１６０を挟み込ませることで設置される。本実施の形態では、全積層厚さを三等分するように２個のスラリ導入スペーサ１６０が介装されている。例えば円盤状基板１０を１５０枚積層する場合では、例えば５０枚毎に１個のスラリ導入スペーサ１６０が介装される。
スラリ導入スペーサ１６０は、詳細な説明は省略するが、所定の厚さで外径が円盤状基板１０と略等しい円盤状であって、たとえばポリアセタール等の樹脂によって形成されている。中央には円盤状基板１０の内径より大きい開孔が形成されており、外周面とこの開孔の内周面とを連通して所定径の貫通供給孔１６３（図７参照）が、周方向に等角度間隔で８本（すなわち４５度間隔で）形成されている。
【００３０】
そして、上記のごとく多数の円盤状基板１０が積層されて成る積層ワーク１４０は、ホルダ２００の下部支持円盤２２０の装着フランジ２２２が、研磨機構１１０の回転テーブル１３０にボルトによって締着されることで、回転テーブル１３０に装着される。
研磨作業は、前述のごとく、スラリ供給ノズル１２３からスラリを吐出して積層ワーク１４０の上面に供給し、回転テーブル１３０を回転させると共に、研磨ブラシ１５０を回転させつつその軸方向（上下方向）に所定のストロークで往復移動させて行う。
積層ワーク１４０の上面に供給されたスラリは、図７中に矢印で示すように、ホルダ２００の上部に開放する上部押さえ２３３の開孔２３３Ｃから積層ワーク１４０の中心孔１４１に流入すると共に、積層ワーク１４０の外周面を伝って流れ落ちる。
【００３１】
研磨ブラシ１５０による研磨作業域（中心孔１４１の内周面）には、上部支持円盤２１０の開孔２１１から流入したスラリが供給されるばかりでなく、積層ワーク１４０の外周面を流れ落ちるスラリがスラリ導入スペーサ１６０の貫通供給孔１６３を介して供給される。
すなわち、研磨ブラシ１５０と積層ワーク１４０との相対移動に起因する圧力変化によって、図７中の矢印Ｘで示すように、積層ワーク１４０の外周側に存在するスラリが、スラリ導入スペーサ１６０の貫通供給孔１６３を介して研磨作業域に供給される。
これにより、積層ワーク１４０の上端からだけではなく、積層ワーク１４０の途中から（例えば５０枚ごとに）下部の研磨作業域にも新鮮なスラリが供給されることとなる。このため、積層ワーク１４０の中心孔１４１の内周面（円盤状基板１０の開孔１２の内周面）を、その上下方向においてより均等に研磨することができる。また、研磨作業域に多くのスラリが供給されるため、研磨作業効率が向上し、研磨作業を短時間で行うことができる。
【００３２】
つぎに、研磨ブラシ１５０について、前述の図４と、図８乃至図１０とを用いて詳細に説明する。
図８は研磨ブラシ１５０の軸方向の一部を拡大した断面図である。図９（ａ）は図４（ｂ）のＡ−Ａ線に相当する拡大断面図（ただし天地逆にして示す），図９（ｂ）はその平面図である。また、図１０は比較例を示し、（ａ）は図９（ａ）と対応する拡大断面図，（ｂ）はその平面図である。なお、図９および図１０は概念的に示した図である。
【００３３】
研磨ブラシ１５０は、図４（ｂ）に示すように、軸芯１５１の周囲にブラシ列１５２を所定の間隔で螺旋状に巻き付けて固定した後、ブラシ列１５２の毛先を所定外径にカットして形成される。
ブラシ列１５２は、図８および図９に示すように、所定長さのブラシ毛材１５４を、曲げを規制する芯材としての芯金１５５を巻くようにその中央部分で二つ折りにし（ブラシ毛材１５４の束の一端部側と他端部側とが合わさるように曲げて）、その芯金１５５を巻回する屈曲部分を外側からブラシ基材としての基部金具１５６でカシメる。つまり、基部金具１５６が芯金１５５とブラシ毛材１５４とを巻き込んで一体化している。芯金１５５はステンレス合金鋼等の線材によって形成されている。これによって、ブラシ列１５２のブラシ毛材１５４は芯金１５５に一体に固定され、図８に示すように軸芯１５１に対して列状に形成されている。これにより、毛先１５４Ｌ，１５４Ｒは芯金１５５から放射状に延びている。
【００３４】
基部金具１５６は、ＳＥＣＣ（電気亜鉛メッキ鋼板）等により、概略Ｕ字状の断面形状に形成されている。そして、その両先端縁１５６Ａと芯金１５５との間にそれぞれブラシ毛材１５４を挟んで（先端縁１５６Ａでブラシ毛材１５４を芯金１５５に押し付けて）、ブラシ毛材１５４を芯金１５５に固定する。この基部金具１５６は、図８中に示すように、軸芯１５１の周囲にて、軸方向に互いに当接させながら螺旋状に巻き付けることで、ブラシ列１５２の間隔およびブラシ隙間１５３が一定となるように形成されている。つまり、基部金具１５６の幅は、ブラシ毛材１５４を芯金１５５に固定する機能において必要な最小限の幅より大きく、ブラシ列１５２の間隔を規定する寸法にて設定されている。
【００３５】
ブラシ毛材１５４は、例えば、ナイロン等によって、直径０．１ｍｍに形成される。このブラシ毛材１５４は、基部金具１５６に覆われた部分では芯金１５５の周囲に沿っており、基部金具１５６の先端縁１５６Ａより先端側（毛先１５４Ｌ，１５４Ｒ）は自由状態で立ち上がる。
ここで、基部金具１５６のカシメ方によって、ブラシ毛材１５４の両側の毛先１５４Ｌ，１５４Ｒの姿勢が変わる。具体的には、芯金１５５の周方向における基部金具１５６の両先端縁１５６Ａの開放角度θに対応して、ブラシ毛材１５４の毛先１５４Ｌ，１５４Ｒの立ち上がる角度等の姿勢が変化する。
【００３６】
本実施の形態の研磨ブラシ１５０では、図９に示すごとく、ブラシ毛材１５４の両側の毛先１５４Ｌ，１５４Ｒが先端で互いに当接して寄りかかる姿勢となるように、基部金具１５６の開放角度θが設定される。これにより、両側の多数のブラシ毛材１５４の毛先１５４Ｌ，１５４Ｒが芯金１５５の周方向にまとまる。つまり、ブラシ毛材１５４の束の一端部側（毛先１５４Ｌ又は１５４Ｒ）と他端部側（毛先１５４Ｒ又は１５４Ｌ）とが合わさり、芯金１５５の中心部に向けて集中する状態となっている。
このような構成の研磨ブラシ１５０は、図１０に示す比較例の研磨ブラシ２５０に比べて、同じブラシ毛材１５４を用いてもブラシ硬度が高くなる。
これは、ブラシ毛材１５４の一本一本の剛性は同じでも、多数のブラシ毛材１５４の毛先１５４Ｌ，１５４Ｒがまとまることで、一本のブラシ毛材１５４が変形力を受けた場合でも多数のブラシ毛材１５４が変形することによると考えられる。
【００３７】
比較例の研磨ブラシ２５０は、基部金具１５６の開放角度θが本実施の形態の研磨ブラシ１５０より広く、ブラシ毛材１５４の毛先１５４Ｌ，１５４Ｒが周方向にばらけている。このように毛先１５４Ｌ，１５４Ｒが周方向にばらけた研磨ブラシ２５０では、ブラシ毛材１５４の一本一本が独立して単独で変形するためにそれらの変形剛性の単純加算がブラシ硬度となる。言うならば、このような構成の研磨ブラシ２５０のブラシ硬度は、同じブラシ毛材１５４を同一本数用いるものの内では最も低い状態（以下基底状態と呼ぶ）である。本実施の形態の研磨ブラシ１５０では、ブラシ毛材１５４の両側の毛先１５４Ｌ，１５４Ｒがまとまることで、ブラシ硬度が基底状態より高くなるものである。
【００３８】
なお、ブラシ硬度が基底状態にある比較例の研磨ブラシ２５０であっても、個々のブラシ毛材１５４の剛性を高めることで、ブラシ硬度を高くすることができる。つまり、ブラシ毛材１５４に高剛性の素材を用いたり、その線径を太くしたりすれば良い。しかし、個々のブラシ毛材１５４の剛性を高めた場合、個々の毛先１５４Ｌ，１５４Ｒの研磨面への当接圧力が大きくなる。その結果、研磨面の場所によって研磨量がバラつくという不具合が生ずる。
本実施の形態の研磨ブラシ１５０では、個々のブラシ毛材１５４の剛性を高めることなく全体としてのブラシ硬度を向上させるため、研磨量のバラつきを抑えて効率の良い研磨作業を行うことが可能となる。
【００３９】
つぎに、このような研磨ブラシ１５０が所定のブラシ硬度を有するか否かの検査について説明する。
前述した円盤状基板１０の内周研磨作業においては、研磨ブラシ１５０のブラシ硬度によって同一量を研磨するのに要する時間に差を生じ、研磨作業効率に影響する。つまり、研磨ブラシ１５０のブラシ硬度が低いと、研磨に時間を要することとなって研磨作業効率が低下する。
適度でバラつきのないブラシ硬度の研磨ブラシ１５０を用いることで、研磨作業時間を短かく一定化することができ、合理的な研磨作業が可能となる。
そのためには、研磨ブラシ１５０を検査して、所定のブラシ硬度を有するものとそうでないものとを判別し、所定のブラシ硬度を有する研磨ブラシ１５０のみを用いる必要がある。本実施の形態では、その形態的特徴によって簡便に判別することが可能である。
【００４０】
すなわち、研磨ブラシ１５０の外観を観察し、そのブラシ列１５２を構成するブラシ毛材１５４の両側の毛先１５４Ｌ，１５４Ｒがブラシ列１５２の中央にまとまっていることを調べる。
これにより、研磨ブラシ１５０が基底状態以上のブラシ硬度を有することを確認できる。その際、ブラシ列１５２の中央に芯金１５５が見えるか否かを判定基準（検査基準）とすることができる。つまり、芯金１５５がブラシ毛材１５４により遮蔽されて見えない程度に、束の一端部側（毛先１５４Ｌ又は１５４Ｒ）と他端部側（毛先１５４Ｒ又は１５４Ｌ）とが集中していることを調べる。
そして、ブラシ列１５２の中央に芯金１５５が見えない場合には、ブラシ毛材１５４の両側の毛先１５４Ｌ，１５４Ｒがブラシ列１５２の中央でまとまっている。このような研磨ブラシ１５０は、所定以上のブラシ硬度を有すると判別する。
逆に、ブラシ列１５２の中央に芯金１５５が見える場合には、ブラシ毛材１５４の両側の毛先１５４Ｌ，１５４Ｒがブラシ列１５２の中央で寄りかかっておらず、まとまっていない。このような研磨ブラシ１５０は、ブラシ硬度が基底状態であって所定のブラシ硬度を有さないと判別する。
なお、ブラシ硬度判定の際には、顕微鏡等の拡大手段を用いて、適宜倍率（例えば１００倍）で観察すれば良い。
【００４１】
図１１および図１２は具体例の写真を示す。図１１はブラシ硬度が高い研磨ブラシ１５０であり、（ａ）は外観，（ｂ）はそのブラシ列１５２の拡大写真である。また、図１２はブラシ硬度が低い研磨ブラシ２５０であり、（ａ）は外観，（ｂ）はそのブラシ列１５２の拡大写真である。なお、各部位の符号については、前述の図９および図１０にも同符号を付してあるので参照のこと。
【００４２】
図１１に示すブラシ硬度の高い研磨ブラシ１５０では、前述した判定基準のごとく、ブラシ毛材１５４の両側の毛先１５４Ｌ，１５４Ｒがブラシ列１５２の中央でまとまって密集しており、芯金１５５を見ることができない。これに対して、図１２に示すブラシ硬度の低い研磨ブラシ２５０では、ブラシ列１５２の中央にブラシ毛材１５４の両側の毛先１５４Ｌ，１５４Ｒが存在しない隙間があり、その隙間から芯金１５５を見ることができる。
これらの研磨ブラシ１５０，２５０を用い、前述した円盤状基板１０の内周の研磨作業を同一条件で行い、１３〜２０μｍの研磨に要する時間を計測した。その結果、本実施の形態の研磨ブラシ１５０では平均１６分、比較例の研磨ブラシ２５０では平均３２分であった。また、研磨面に関しては、本実施の形態の研磨ブラシ１５０では良好であったが、比較例の研磨ブラシ２５０では研磨面にスジが見られた。このように、本実施の形態の研磨ブラシ１５０は、比較例の研磨ブラシ２５０の約半分の研磨時間で研磨作業が完了できる。研磨面も良好であり、本構成の有効性が確認できた。なお、ブラシ硬度の低い比較例の研磨ブラシ２５０で研磨面にスジが見られた理由は、円盤状基板１０の開孔１２の内周面を前工程において内周砥石２２（図１−１参照）によって研削した際に形成された微細な割れ目に、細く柔軟なブラシ毛材１５４の毛先が侵入し、研磨作用によって割れ目を拡大させたことによると考えられる。
【００４３】
図１１および図１２に示す研磨ブラシ１５０，２５０の仕様は、下記の通りである。
ブラシ外径：φ１３ｍｍ
軸芯１５１の径：φ４ｍｍ
ブラシ毛材１５４の材質：６６ナイロン
ブラシ毛材１５４の直径：φ０．１ｍｍ
ブラシ列１５２におけるブラシ毛材１５４の密度：４００〜５００本／ｃｍ
芯金１５５の直径：φ０．６ｍｍ
【００４４】
以上、詳述したように、本実施の形態の研磨ブラシ１５０によれば、バラつきのない適度なブラシ硬度の研磨ブラシ１５０を得ることができる。また、このようなブラシ硬度を有する研磨ブラシ１５０を、外観から容易に判別することができる。そして、このような研磨ブラシ１５０を用いることで、高い精度で安定した研磨作業を効率良く行うことが可能となるものである。
なお、本願発明は上記実施の形態に示す構成に限定されるものではなく、適宜変更可能なものである。
【図面の簡単な説明】
【００４５】
【図１−１】（ａ）〜（ｄ）は、本実施の形態が適用される円盤状基板（ディスク基板）の製造工程を示した図である。
【図１−２】（ｅ）〜（ｈ）は、本実施の形態が適用される円盤状基板（ディスク基板）の製造工程を示した図である。
【図２】研磨装置の外観斜視図である。
【図３】研磨機構の縦断面図である。
【図４】研磨機構が用いる研磨ブラシを示す斜視図である。
【図５】積層ワークの全体斜視図である。
【図６】円盤状基板の積層過程を示す斜視図である。
【図７】研磨作業中の積層ワークの断面図である。
【図８】研磨ブラシの軸方向拡大断面図である。
【図９】研磨ブラシのブラシ列を示し、（ａ）は図４（ａ）のＡ−Ａ線に相当する拡大断面図（天地逆），（ｂ）はその平面図である。
【図１０】比較例を示し、（ａ）は図９（ａ）と対応する拡大断面図，（ｂ）はその平面図である。
【図１１】ブラシ硬度が高い研磨ブラシの具体例の写真を示し、（ａ）は外観，（ｂ）はブラシ列の拡大である。
【図１２】ブラシ硬度が低い研磨ブラシの具体例の写真を示し、（ａ）は外観，（ｂ）はブラシ列の拡大である。
【図１３】従来の円盤状基板の内周面を研磨する構成の一例を示す図である。
【符号の説明】
【００４６】
１０…円盤状基板、１５０…研磨ブラシ、１５１…軸芯、１５２…ブラシ列、１５４…ブラシ毛材、１５４Ｌ，１５４Ｒ…毛先（端部）、１５５…芯金（芯材）、１５６…基部金具（ブラシ基材）
【図１−１】
2008142792.tif 000003
【図１−２】
2008142792.tif 000004
【図２】
2008142792.tif 000005
【図３】
2008142792.tif 000006
【図４】
2008142792.tif 000007
【図５】
2008142792.tif 000008
【図６】
2008142792.tif 000009
【図７】
2008142792.tif 000010
【図８】
2008142792.tif 000011
【図９】
2008142792.tif 000012
【図１０】
2008142792.tif 000013
【図１１】
2008142792.tif 000014
【図１２】
2008142792.tif 000015
【図１３】
2008142792.tif 000016